(57)【要約】  本発明はＧＳＭネットワークとＩＭＳネットワークとの間のオーバレイシステムに関し、仮想ＩＭＳ加入者情報を利用する。仮想ＩＭＳ加入者情報は、ＳＩＰ非対応端末が発呼したり被呼したり呼の最中にＩＭＳサービスを起動したりする場合に、ＩＭＳサービスを端末に提供するＳＩＰセッションを開始することを目的として、ＳＩＰ非対応端末の識別情報に一時的に結び付けられる。
2010514289.tif 000002
【特許請求の範囲】
【請求項１】
端末（Ｔ）にパケットベースのマルチメディアサービス（Ｓ）を提供するために、パケットベースのマルチメディアシステム（ＰＢＭＳ）において前記端末（Ｔ）のためのセッションを開始する方法であって、
前記端末は、前記パケットベースのマルチメディアシステムにおける加入者情報を持たず、ネットワークにおいて、前記パケットベースのマルチメディアシステムに接続されるネットワークアクセスゲートウェイ（ＮＡＧ）に接続されており、
前記方法は、
前記パケットベースのマルチメディアシステム（ＰＢＭＳ）が、前記ネットワークアクセスゲートウェイ（ＮＡＧ）から、端末（Ｔ）に対するパケットベースのマルチメディアサービス（Ｓ）を起動するためのトリガメッセージ（ＴＲＩＧ）を受信するステップと、
前記パケットベースのマルチメディアシステム（ＰＢＭＳ）が、前記トリガメッセージ（ＴＲＩＧ）から、前記端末（Ｔ）の識別情報を取り出すステップと、
前記パケットベースのマルチメディアシステム（ＰＢＭＳ）が、前記端末（Ｔ）の前記識別情報を仮想加入者情報と結び付けるステップと、
前記パケットベースのマルチメディアシステム（ＰＢＭＳ）が、前記結び付けられた仮想加入者情報に対するセッションを開始するステップと、
前記パケットベースのマルチメディアシステム（ＰＢＭＳ）が、前記端末（Ｔ）の前記識別情報をセッション識別情報と結び付けるステップと、
前記パケットベースのマルチメディアシステム（ＰＢＭＳ）が、前記セッションが開始した場合に、前記仮想加入者情報から前記端末（Ｔ）の前記識別情報を切り離すステップと、
を備えることを特徴とする方法。
【請求項２】
前記端末（Ｔ）の前記識別情報を空きの仮想加入者情報と結び付ける前記ステップは、
空きの仮想加入者情報を割り当てるステップと、
起動されるパケットベースのマルチメディアサービス（Ｓ）のために必要とされる場合は、追加のパラメータを取り出すステップと、
前記端末（Ｔ）の前記識別情報と追加のパラメータとを前記空きの仮想加入者情報に格納するステップと、
前記空きの仮想加入者情報の識別情報（ＩＤ）を前記ネットワークアクセスゲートウェイ（ＮＡＧ）へ送信するステップと、
を更に備えることを特徴とする請求項１に記載の方法。
【請求項３】
パケットベースのマルチメディアシステムにおいて２以上のパケットベースのマルチメディアシステムのアクセスゲートウェイ（ＡＧ）を更に持ち、割り当てる前記ステップ及び送信する前記ステップが、
仮想加入者情報のグループから空きの仮想加入者情報を割り当てるステップと、
前記空きの仮想加入者情報の識別情報（ＩＤ）と、仮想加入者情報の前記グループに属するパケットベースのマルチメディアシステムのアクセスゲートウェイ（ＡＧ）の識別情報とを、ネットワークアクセスゲートウェイ（ＮＡＧ）へ送信するステップと、
によって置き換えられることを特徴とする請求項２に記載の方法。
【請求項４】
セッションを開始する前記ステップは、
前記占有された仮想加入者情報の識別情報を含むセッション開始要求メッセージ（ＲＥＱ）を前記ネットワークアクセスゲートウェイから受信するステップと、
前記セッション開始要求メッセージ（ＲＥＱ）内の前記占有された仮想加入者情報の識別情報によって指し示される前記占有された仮想加入者情報から、前記端末（Ｔ）の前記識別情報と追加のパラメータとを取り出すステップと、
前記セッション開始要求メッセージ（ＲＥＱ）内で指し示される起動されるパケットベースのマルチメディアサービスに対して、前記端末（Ｔ）の前記識別情報と追加のパラメータとを渡すステップと、
を更に備えることを特徴とする請求項２又は３に記載の方法。
【請求項５】
前記識別情報を切り離す前記ステップは、
前記セッションが開始したか、又は、結び付きが存在可能な最大時間を超えたことを検出するステップと、
前記占有された仮想加入者情報を空きに設定するステップと、
を更に備えることを特徴とする請求項１又は３に記載の方法。
【請求項６】
ネットワークのネットワークアクセスゲートウェイ（ＮＡＧ）に接続される、パケットベースのマルチメディアシステムにおけるサービス対話管理装置（ＳＩＭ）であって、
仮想加入者情報を、前記ネットワークに接続される端末（Ｔ）の識別情報に一時的に結び付ける仮想加入者情報テーブル（ＶＳＴ）を備える
ことを特徴とするサービス対話管理装置（ＳＩＭ）。
【請求項７】
前記ネットワークアクセスゲートウェイ（ＮＡＧ）に接続される１以上の結び付け機能（ＣｏｕＦ）を更に備え、
前記１以上の結び付け機能（ＣｏｕＦ）は、前記仮想加入者情報テーブル（ＶＳＴ）を使用して空きの仮想加入者情報を選択し、前記ネットワークに接続される端末の前記識別情報を前記空きの仮想加入者情報に格納する
ことを特徴とする請求項６に記載のサービス対話管理装置（ＳＩＭ）。
【請求項８】
サービス（Ｓ）とパケットベースのマルチメディアシステムの１以上のアクセスゲートウェイ（ＡＧ）とに接続される１以上の関連付け機能（ＣｏｒＦ）を更に備え、
前記１以上の関連付け機能（ＣｏｒＦ）は、前記パケットベースのマルチメディアシステムのアクセスゲートウェイ（ＡＧ）からのセッション開始要求メッセージ（ＲＥＱ）に含まれる仮想加入者情報の識別情報に基づいて、前記セッション開始要求メッセージ（ＲＥＱ）を前記仮想加入者情報テーブル内の端末識別情報に関連付けるために、前記仮想加入者情報テーブル（ＶＳＴ）を使用する
ことを特徴とする請求項６に記載のサービス対話管理装置（ＳＩＭ）。
【請求項９】
前記ネットワークアクセスゲートウェイ（ＮＡＧ）に対するネットワークインタフェースプロトコル（ＮＩＰ）に専用の１以上のインタフェースハンドラを備えることを特徴とする請求項６乃至８のいずれか１項に記載のサービス対話管理装置（ＳＩＭ）。
【請求項１０】
仮想加入者情報のグループを含む仮想加入者情報テーブル（ＶＳＴ）を備えることを特徴とする請求項６乃至９のいずれか１項に記載のサービス対話管理装置（ＳＩＭ）。
【請求項１１】
仮想加入者情報テーブル（ＶＳＴ）を備え、各仮想加入者情報は端末識別情報のための格納場所を有することを特徴とする請求項６に記載のサービス対話管理装置（ＳＩＭ）。
【請求項１２】
仮想加入者情報テーブル（ＶＳＴ）を備え、各仮想加入者情報は空きフラグ又は占有フラグのための格納場所を有することを特徴とする請求項６に記載のサービス対話管理装置（ＳＩＭ）。
【請求項１３】
仮想加入者情報テーブル（ＶＳＴ）を備え、各仮想加入者情報はタイムスタンプのための格納場所を有することを特徴とする請求項６に記載のサービス対話管理装置（ＳＩＭ）。
【請求項１４】
仮想加入者情報テーブル（ＶＳＴ）を備え、各仮想加入者情報はアカウント番号のための格納場所を有することを特徴とする請求項６に記載のサービス対話管理装置（ＳＩＭ）。
【請求項１５】
請求項６に記載の特徴と、請求項７乃至１４に記載の特徴のうちの１以上とによって特徴付けられる、パケットベースのマルチメディアシステム（ＰＢＭＳ）。
【請求項１６】
１以上の関連付け機能（ＣｏｒＦ）と１以上のネットワークアクセスゲートウェイ（ＮＡＧ）とに接続される、パケットベースのマルチメディアシステムにおけるパケットベースのマルチメディアシステムのアクセスゲートウェイ（ＡＧ）であって、
ネットワークアクセスゲートウェイ（ＮＡＧ）からのセッション開始要求メッセージ（ＲＥＱ）内の仮想加入者情報の識別情報を認識し、それに続いてセッション開始メッセージ（ＳＳＭ）を前記関連付け機能へ送信するための、仮想加入者情報の識別情報のリストを有する
ことを特徴とするパケットベースのマルチメディアシステムのアクセスゲートウェイ（ＡＧ）。
【請求項１７】
前記リスト内の各仮想加入者情報の識別情報は、セッション開始メッセージ（ＳＳＭ）の送信先となる関連付け機能（ＣｏｒＦ）を特定するための、関連付けられた関連付け機能（ＣｏｒＦ）の識別情報を持つことを特徴とする請求項１６に記載のパケットベースのマルチメディアシステムのアクセスゲートウェイ（ＡＧ）。
【請求項１８】
前記ネットワークアクセスゲートウェイ（ＮＡＧ）に対するネットワークインタフェースプロトコル（ＮＩＰ）に専用の１以上のインタフェースハンドラを更に備えることを特徴とする請求項１７に記載のパケットベースのマルチメディアシステムのアクセスゲートウェイ（ＡＧ）。
【請求項１９】
請求項１６乃至１８に記載の特徴のうちの１以上によって特徴付けられるパケットベースのマルチメディアシステム（ＰＢＭＳ）。
【請求項２０】
１以上のプロキシ呼セッション制御機能（Ｐ−ＣＳＣＦ）と１以上のネットワークアクセスゲートウェイ（ＮＡＧ）とに接続される、ＩＰマルチメディア・サブシステム（ＩＭＳ）におけるメディアゲートウェイ制御機能（ＭＧＣＦ）であって、
ネットワークアクセスゲートウェイ（ＮＡＧ）からのセッション開始要求メッセージ（Ｂ９）内の仮想加入者情報の識別情報を認識し、それに続いてＵＮＩ  ＳＩＰ  Ｉｎｖｉｔｅメッセージ（Ｂ１０）をプロキシ呼セッション制御機能（Ｐ−ＣＳＣＦ）へ送信するための、仮想加入者情報の識別情報のリストを有する
ことを特徴とするメディアゲートウェイ制御機能（ＭＧＣＦ）。
【請求項２１】
前記リスト内の各仮想加入者情報の識別情報は、前記ＵＮＩ  ＳＩＰ  Ｉｎｖｉｔｅメッセージ（Ｂ１０）の送信先となるプロキシ呼セッション制御機能（Ｐ−ＣＳＣＦ）を特定するための、関連付けられたプロキシ呼セッション制御機能（Ｐ−ＣＳＣＦ）の識別情報を持つことを特徴とする請求項２０に記載のメディアゲートウェイ制御機能（ＭＧＣＦ）。
【請求項２２】
前記ネットワークアクセスゲートウェイ（ＮＡＧ）に対するネットワークインタフェースプロトコル（ＮＩＰ）に専用の１以上のインタフェースハンドラを更に備えることを特徴とする請求項２１に記載のメディアゲートウェイ制御機能（ＭＧＣＦ）。
【請求項２３】
請求項６乃至１４のいずれか１項に記載のサービス対話管理装置（ＳＩＭ）を備えることを特徴とするＩＰマルチメディア・サブシステム（ＩＭＳ）。
【請求項２４】
請求項２０乃至２２のいずれか１項に記載のメディアゲートウェイ制御機能（ＭＧＣＦ）を備えることを特徴とするＩＰマルチメディア・サブシステム（ＩＭＳ）。
【請求項２５】
仮想加入者情報テーブル（ＶＳＴ）内に含まれる仮想加入者情報を、メディアゲートウェイ制御機能（ＭＧＣＦ）内の仮想加入者情報の識別情報のリストに整合させ、前記仮想加入者情報にプロキシ呼セッション制御機能（Ｐ−ＣＳＣＦ）の識別情報を割り当てるための、仮想加入者情報管理機能を備えることを特徴とするＩＰマルチメディア・サブシステム（ＩＭＳ）。
【発明の詳細な説明】
【技術分野】
【０００１】
本発明は、第２世代又は第３世代の通信ネットワークに接続された回線交換型ユーザ装置を持つユーザに対して、第３世代パケット交換ネットワークにおける先進サービスへのアクセスを提供することに関する。
【背景技術】
【０００２】
Universal Telecommunication Network（ＵＭＴＳ）及びＣＤＭＡ２０００などの第３世代（３Ｇ）ネットワークは、移動体ユーザに対して、広いカバーエリアに亘って高速無線インターネットアクセスを提供する。３Ｇネットワークのために、ＩＰマルチメディア・サブシステム（ＩＭＳ）が、電話サービス及びマルチメディアサービスへのアクセスを提供するために定義された。ＩＭＳは、サービスを提供するために、バケットベースの技術（特に、インターネットプロトコル（ＩＰ））を使用し、また、その他のＩＥＴＦ(Internet Engineering Task Force)のプロトコルを使用する。ＩＭＳの強みは、強化されたサービス（例えば、音声及びデータを組み合わせたマルチメディアサービス）の提供である。更に、基礎となる単一の標準としてＩＰネットワークを使用することにより、サービスの展開を容易且つ迅速にできる。
【０００３】
Global System for Mobile communications（ＧＳＭ）のような第２世代（Ｇ２）ネットワーク、及びＵＭＴＳのような第３世代ネットワークは、回線交換技術の上で音声ベースのサービスを提供する。
【０００４】
現在、端末の大部分は、回線交換型の音声に基づいているので、ＩＥＴＦ−ＲＦＣ３２６１において定義されるＳＩＰ(Session Initiation Protocol)を伴うＩＭＳ技術をサポートしていない。しかしながら、オペレータは、これらの２Ｇ端末及び３Ｇ端末に自分達の先進ＩＭＳサービスを提供したいと望んでいる。
【０００５】
現在の技術では、２Ｇ又は３ＧとＩＭＳとの間の連携は、オーバレイシステムとして知られている。オーバレイシステムによって、ＳＩＰ非対応の２Ｇ又は３Ｇの端末は、発呼、被呼、又は呼の最中、呼の間に、ＩＭＳベースのサービスの使用が可能になる。
【０００６】
以下のセクションは、単純化したＩＭＳネットワークアーキテクチャを説明する。特に、ＩＭＳアーキテクチャにおいてＳＩＰ非対応端末にサービスを提供することに関与するノードが、２Ｇ又は３Ｇのネットワークの関与する部分と共に言及される。
【０００７】
ＩＭＳシステムのコンポーネントは、ＣＳＣＦ（呼セッション制御機能）、ＭＧＷ／ＭＧＣＦ（メディアゲートウェイ／メディアゲートウェイ制御機能）、ＨＳＲ（ホーム加入者レジスタ）、ＡＳ（アプリケーションサーバ）、ＡＰ（ＩＭＳサービスアプリケーション）、及びＳＩＭ（サービス対話管理装置）である。
【０００８】
移動回線交換ネットワークにおける適用可能なコンポーネントは、ＭＳＣ（移動通信交換局）、ＨＲＬ（ホームロケーションレジスタ）、ＶＬＲ（ビジターロケーションレジスタ）、及びＲＡＮ（無線アクセスネットワーク）である。
【０００９】
ＣＳＣＦは、呼サーバとして機能し、呼シグナリングを処理し、マルチメディアセッションをサポート及び制御し、アドレス変換機能を実行する。ＣＳＣＦは、機能的には、Ｓ−ＣＳＣＦ、Ｉ−ＣＳＣＦ、及びＰ−ＣＳＣＦに分けられる。
【００１０】
Ｐ−ＣＳＣＦ（プロキシＣＳＣＦ）は、在圏ＩＭＳネットワークにおける最初のコンタクトポイントであり、ベアラリソースの許可を提供し、更に、ＵＥ（ユーザ装置）から受信したＳＩＰ登録要求を、ＵＥによって提供されたホームドメイン名を使用して決定されるＩ−ＣＳＣＦへと転送する。反対方向においては、Ｐ−ＣＳＣＦは、ＳＩＰ要求又はＳＩＰ応答をＵＥへ転送する。また、ＣＳＣＦは、ＵＥから受信したＳＩＰメッセージを、登録手順の結果としてＰ−ＣＳＣＦが受信した名前のＳ−ＣＳＣＦへと転送する。
【００１１】
Ｉ−ＣＳＣＦ（インテロゲーティングＣＳＣＦ）は、ネットワークオペレータの加入者へと向かう全接続のための、オペレータのネットワーク内でのコンタクトポイントである。オペレータのネットワーク内に複数のＩ−ＣＳＣＦが存在してもよい。Ｉ−ＣＳＣＦによって実行される機能は、ＳＩＰ登録を実行するユーザに対してＳ−ＣＳＣＦを割り当てることである。
【００１２】
Ｓ−ＣＳＣＦ（サービングＣＳＣＦ）は、ＩＭＳネットワークのためのセッション管理を実行するノードである。ネットワーク内にはいくつかのＳ−ＣＳＣＦが存在してもよい。Ｓ−ＣＳＣＦの主な機能には、ＩＭＳセッション処理、ＵＥからの登録要求の受付、及びサービスのサポートのために任意的なＳＩＭとやり取りすることが含まれる。更に、Ｓ−ＣＳＣＦは、特定のサービス（例えば、トーン／アナウンスメントの通知、追加メディアリソースの割り当て、請求通知など）のためのエンドポイントを提供する。
【００１３】
ＨＳＲ（ホーム加入者レジスタ）は、中央集中型加入者データベースである。ＨＳＲはＩ−ＣＳＣＦ及びＳ−ＣＳＣＦとインタフェースし、加入者の位置に関する情報と加入者識別情報とを提供する。ＨＳＲは、ユーザ識別情報、番号指定及びアドレス指定の情報、認証及び許可のためのユーザセキュリティ情報といった、ユーザ関連情報を保持することを担う。ＨＳＲは、ユーザ登録をサポートし、システム間位置情報を格納する。
【００１４】
ＭＧＣＦ（メディアゲートウェイ制御機能）は、ＩＭＳとレガシーの回線交換ネットワーク（例えば、ＧＳＭ）との間の連携を実行する。ＩＭＳネットワークはいくつかのＭＧＣＦノードを含んでもよい。実際のメディア（例えば、音声）は、ＭＧＷ（メディアゲートウェイ）を通過する。１つのＭＧＣＦは１以上のＭＧＷを制御する。
【００１５】
ＭＧＣＦは、セルラ呼制御プロトコルとＩＭＳプロトコルとの間でプロトコル変換を実行する。例えば、ＭＧＣＦはＣＳＣＦからＳＩＰメッセージを受信し、このメッセージを適切なＩＳＵＰ（ＩＳＤＮユーザパート）メッセージに変換し、このＩＳＵＰメッセージをＭＳＣへ送信する。それゆえ、ＭＧＣＦの主な機能は、シグナリング情報を或るフォーマットから別のフォーマットに変換することである。これは、大部分が、回線交換ネットワークにおいて一般的に使用されるＩＳＵＰと、ＩＭＳにおいて使用されるＳＩＰとの間の変換である。
【００１６】
シグナリングに対するＭＧＣＦのように、ＭＧＷはメディアに対する同等の変換を提供することができる。これは、大部分が、回線交換ネットワークにおいて一般的に使用されるＰＣＭ（パルス符号変調）と、ＩＭＳにおいて使用されるＩＰベースのフォーマットとの間の変換である。ＭＧＷはまた、セキュアなトンネリングやファイアウォールのようなＩＭＳのための追加機能を提供してもよい。
【００１７】
実際のＩＭＳサービスは、ＡＳ（アプリケーションサーバ）上で動作するＡＰ（ＩＭＳサービスアプリケーション）によって提供される。ＡＳはＩＭＳネットワークにおいてＳＩＭ（サービス対話管理装置）を介してＳ−ＣＳＣＦに接続される。ＳＩＭは、複数のサービスを連ならせること、並びに、複数のサービスを起動した場合の不一致を解決することを処理する。加えて、ＳＩＭは、必要な情報がＨＳＲのようなレジスタから１回のみ抽出されて複数のサービスへと渡されることを管理することができる。
【００１８】
ＩＭＳネットワーク内の端末は、シグナリングプロトコルとしてＳＩＰを使用して音声呼を確立することができる。ＳＩＰメッセージは、要求を通信するために、ＩＭＳ内のＣＳＣＦ（呼セッション制御機能）へと送信される。この事例では、メディアはネットワーク全体を通じてパケットとして送信される。
【００１９】
３Ｇのユーザは、ＨＳＲ内に格納されている加入者情報を持つ。ＩＭＳ内の何らかのサービスにアクセスするために、ユーザは、自分の端末のためのＩＭＳネットワークにおける登録手順を実行しなければならない。当該登録手順は、ユーザの端末内に実装されたユーザエージェントを用いて実行される。
【００２０】
ＩＭＳネットワークにおける登録は、限られた存続時間しか持たない。登録は継続的（実際上は２４乃至４８時間ごと）に更新されなければならない。ユーザエージェントはこの更新を管理する。
【００２１】
ＳＩＰ非対応端末は、ユーザエージェントを持っておらず、それゆえ、ＩＭＳネットワークにおける加入及び登録に関する代替手段を必要とする。ＧＳＭ端末を例に、代替手段を説明する。
【００２２】
ＧＳＭ端末がＩＭＳネットワークに登録可能になる前に、ＧＳＭ端末は、ＩＭＳにおける加入者情報を持つことを必要とする。加入者情報は、固定されたものであってもよいし、動的なものであってもよい。固定された加入者情報の場合、ＧＳＭ端末は、ＳＩＰ対応端末と同等の、ユーザ及び端末の詳細を含む加入者情報をＨＳＲ内に持つ。動的な加入者情報の場合、加入者情報はＨＳＲ内に用意されるが、ユーザ／端末の詳細は端末の登録手順において動的に入力される。
【００２３】
ＧＳＭ加入者は、ＨＬＲ内に格納された加入者情報を持つ。ＧＳＭ加入者の端末がＧＳＭネットワーク内でスイッチオンされると、ＧＳＭ端末はそのＧＳＭネットワークのＶＬＲに登録される。ＨＬＲは、加入者が登録されたＶＬＲ／ＭＳＣの識別情報を保持する。
【００２４】
ＨＬＲはまた、ＧＳＭ端末のために、ＩＭＳネットワーク内でどのサービスを利用可能であるかを「ＩＭＳサービスインジケータ」を用いて保持する。ＩＭＳサービスインジケータは、特定のＧＳＭ端末にとって特定のサービスがＩＭＳから取得されるべきであるということを指し示すものである。このＩＭＳサービスインジケータは、Originating CAMEL Subscription Information（Ｏ−ＣＳＩ）のような、インテリジェントネットワーク（ＩＮ）のサービス加入者情報エレメントであってもよい。
【００２５】
この場合、発呼ＧＳＭ端末のシグナリングは、ＭＳＣからＭＧＣＦへルーティングされなければならず、続いて、ＩＭＳサービスを起動可能にするために、ＩＭＳネットワーク内のＳ−ＣＳＣＦへルーティングされなければならない。同様に、着呼の場合、着呼に関連するシグナリングは、ＧＭＳＣからＭＧＣＦへルーティングされ、続いて、Ｓ−ＣＳＣＦへルーティングされなければならない。
【００２６】
ＧＳＭ端末は移動可能なので、或るＭＳＣから、ネットワーク境界を越えるかもしれない他のＭＳＣへと移動する。ＨＬＲは、位置更新メッセージングに関する特定のメカニズムを持っており、機能がそのメッセージングに加入可能であり、そして、ＧＳＭ端末の位置の変更に関する最新情報が受信される。ここで、ユーザが位置更新を実行した場合に、ＨＬＲは、そのような機能に対する通知を送信するようにＶＬＲに指示する。ＶＬＲ及びＨＬＲにおける同等のメカニズムが、ＧＳＭ端末のオン及びオフのために存在する。
【００２７】
ＩＭＳネットワークは、原理的には、登録された端末に対するＩＭＳサービスを展開するように設計されている。ＨＳＲは全てのＩＭＳ登録を保持する。
【００２８】
ＧＳＭ端末がＩＭＳネットワークにおける動的な登録を実行する場合、ＧＳＭ端末はスイッチオンされている期間のみ登録されており、「代理」登録としても知られている。
【００２９】
基本的なＩＭＳの原理のうちの１つに沿うと、ＩＭＳネットワーク内での代理登録は、限られた存続時間しか持てない。ＧＳＭ端末がスイッチオンされている限り、代理登録は継続的（実際上は、２４乃至４８時間ごと）に更新されなければならない。ＩＭＳネットワーク内の代理登録機能は、代理登録の更新を管理する。
【発明の概要】
【発明が解決しようとする課題】
【００３０】
現在の技術における、（エージェント機能を持たない）ＳＩＰ非対応端末を３ＧにおいてＩＭＳユーザとして登録するソリューションは、代理登録に基づいている。しかしながら、このソリューションは、次に述べるいくつかの欠点を有する。
【００３１】
実際問題として、ＩＭＳサービスを起動するかもしれない出来事に備えて、全てのスイッチオンされているＳＩＰ非対応端末はＩＭＳネットワーク内に登録され続ける。これは、ＩＭＳコアネットワークに追加的な負荷をもたらすと共に、全ての代理登録を格納するための容量がＳ−ＣＳＣＦ／ＨＳＲ内に必要とされる。Ｓ−ＣＳＣＦ／ＨＳＲ内に格納された多数の登録はまた、ＩＭＳネットワークの性能に影響を与える。ＩＭＳネットワークは、ＳＩＰ非対応端末を登録する動作を実行し、登録を有効期限切れにする動作も実行し、スイッチオフされた場合に登録解除する動作も実行する必要があるので、ＩＭＳネットワーク内の負荷も高くなる。
【００３２】
現在の技術における他の課題は、元の被呼側番号、International Mobile Subscriber Identity（ＩＭＳＩ）、及び位置情報のような情報が失われることである。ＩＳＵＰとＳＩＰメカニズムとの間の非互換性が原因で、International Mobile Subscriber Identity及び位置情報を、ＩＭＳ内のサービスを起動するためのＳＩＰ  Ｉｎｖｉｔｅメッセージ内に含めることができない。加えて、ＩＳＵＰにおけるシグナリングの制約は、元の被呼側番号をＩＭＳネットワークへ部分的にしか伝送できないという効果を持つかもしれない。
【課題を解決するための手段】
【００３３】
それゆえ、本発明の目的は、パケットベースのマルチメディアシステムにおける加入者情報を持たない端末に対してパケットベースのサービスを提供する際に、改良された性能を提供することである。
【００３４】
本発明は、独立請求項に開示される。有利な実施形態は、明細書の対応する部分に開示されている従属請求項において説明される。
【００３５】
本発明は、ＩＭＳにおける仮想加入者情報の導入により、上述した欠点を解決する。仮想加入者情報は、ＩＭＳにおける加入者情報を持たない端末に一時的に結び付けられ、ＳＩＰセッションを開始する目的で呼の開始、被呼、及び呼の最中になり、ＳＩＰセッションが開始した後に解放される。
【００３６】
本発明の利点は、パケットベースのマルチメディアシステムにおける加入者情報を持たない端末のための登録手順がもはや必要とされないことである。発呼時、被呼時、又は呼の最中にサービス起動を開始する時にのみ、ＳＩＰセッションを開始する目的で、空いている仮想ＩＭＳ加入者情報が、加入者情報を持たない端末の識別情報に一時的に結び付けられる。サービスの開始後、仮想ＩＭＳ加入者情報は解放され、ＩＭＳにおける加入者情報を持たない他の端末の他の識別情報に結び付けるために使用可能である。それゆえ、ＩＭＳネットワークは、一時的なＩＭＳ加入者情報の登録及び登録解除、一時的なＩＭＳ加入者情報のための継続的な位置更新、及び更新手順に関する活動から解放される。仮想ＩＭＳ加入者情報の数は極めて少なくてもよい。その数は、ＩＭＳにおける加入者情報を持たない端末に対する、確立段階にある着呼及び発呼の最大数と等しくてよい。それゆえ、ＨＳＲ及びＳ−ＣＳＣＦの負荷は著しく低減される。
【００３７】
更なる利点は、一時的に結び付ける方法が、ＳＩＭを介して端末特有のパラメータをＩＭＳアプリケーションへ直接渡す手段も提供することである。
【００３８】
更なる有利な実施形態は、従属請求項において説明される。
【００３９】
以下のセクションにおいて、当業者に対して本発明の十分且つ完全な理解を提供するために本発明の好適な例を詳細に説明するが、これらの詳細な実施形態は本発明の例としての役割を果たすのみであり、限定を意図したものではない。以下の説明は、添付の図面を参照することになる。
【図面の簡単な説明】
【００４０】
【図１】現在の技術における、ＧＳＭとＩＭＳネットワークとの間のオーバレイシステムの概略図を示す。
【図２】現在の技術における、ネットワークとパケットベースのマルチメディアシステムとの間のオーバレイシステムの概略図を示す。
【図３】本発明に従う、ネットワークとパケットベースのマルチメディアシステムとの間の一般的なオーバレイシステムの概略図を示す。
【図４】本発明に従う、ネットワークとパケットベースのマルチメディアシステムとの間の一般的なオーバレイシステムにおけるメッセージフローダイアグラムを示す。
【図５】本発明に従う、ＧＳＭネットワークとＩＭＳネットワークとの間のオーバレイシステムの好適な実施形態の概略図を示す。
【図６】端末がＧＡＮ（ジェネリックアクセスネットワーク）接続を持つ場合の図５の代替を示す。
【図７】本発明に従う、ＧＳＭネットワークとＩＭＳネットワークとの間のオーバレイシステムの好適な実施形態におけるメッセージフローダイアグラムを示す。
【図８】本発明に従う、ＰＳＴＮのためのオーバレイシステムの好適な実施形態の概略図を示す。
【図９】本発明に従う、ＰＳＴＮのためのオーバレイシステムのためのメッセージフローダイアグラムを示す。
【図１０】本発明に従う、ＣＯＰＮのためのオーバレイシステムの好適な実施形態の概略図を示す。
【図１１】本発明に従う、ＣＯＰＮのためのオーバレイシステムのためのメッセージフローダイアグラムを示す。
【図１２】本発明に従う、ＷＡＮのためのオーバレイシステムの好適な実施形態の概略図を示す。
【図１３】本発明に従う、ＷＡＮのためのオーバレイシステムの好適な実施形態におけるメッセージフローダイアグラムを示す。
【発明を実施するための形態】
【００４１】
本発明の文脈における「端末」という用語は、ネットワークにおける、ネットワークのユーザとネットワークとの間のやりとりに適した任意の装置を指す。ＳＩＰ能力を持つか又はＳＩＰ対応の端末は、「ＳＩＰ端末」と記載される。「端末」という一般的な用語は、これらの能力又は対応を持たない全ての他の端末を示す。
【００４２】
本発明の説明及び本発明の実施形態におけるエンティティは、ハードウェア及びソフトウェアの明示的な組み合わせ（物理エンティティ）というよりは、特徴及び機能（論理エンティティ）によって説明される。なお、いくつかの論理エンティティが１つの物理エンティティ内に組み合わせられてもよいし、１つの物理エンティティ内に１つの論理エンティティが実装されてもよいし、１つの論理エンティティがいくつかの物理エンティティに亘って分割されてもよい。
【００４３】
本明細書において、セッションという用語は、端末とＩＭＳサービスとの間のセッションの最初のセットアップに注目している。最初は、セッションのエンドポイントは端末及びサービスである。これらのエンドポイントをパス（経路）が接続する。しかしながら、エンドポイント及びパスは共に、提供されるサービスの制御下で変化し得る。説明のためのいくつかの例は次の通りである。
【００４４】
−サービスが情報ブローカーとして機能し、情報記憶装置に対する通信を管理する。サービスがエンドポイントを形成する。
−サービスが、サービスのエンドポイントをＰＢＭＳ（パケットベースのマルチメディアシステム）の内部又は外部の他の機能へと移動させる。
−サービスが、サービスのエンドポイントを他の端末へと移動させる。
−サービスが、端末のエンドポイントを、被呼時のビジー状態のようなアナウンスメントへと移動させる。
【００４５】
ＰＢＭＳにおける加入者情報を持たない他の端末へのセッションのように、エンドポイント間のパスは、パケットベースのマルチメディアシステムの範囲外へと移動可能であるということも、明らかであろう。その理由、及び、本発明が最初のセッションのセットアップに関連するという理由により、本明細書では、サービスがパス及びエンドポイントをどのように移動可能であるかということに関する更なる詳細には触れない。
【００４６】
図２を参照すると、本発明に従うパケットベースのマルチメディアシステムが、少なくとも１つのＳＩＰ非対応ネットワークに接続されている。ＳＩＰ標準の完全な定義についてはＩＥＴＦ−ＲＦＣ３２６１を参照のこと。パケットベースのマルチメディアシステムは、少なくとも１つのネットワークアクセスゲートウェイ（ＮＡＧ）を介してネットワークへと接続される。パケットベースのマルチメディアシステムは、ＩＳＵＰのようなネットワークインタフェースプロトコル（ＮＩＰ）を使用してネットワークと通信する。ネットワーク内部では、端末（Ｔ）は、ネットワークインタフェースプロトコルに基づいて、ネットワークアクセスゲートウェイ（ＮＡＧ）に直接的又は間接的に接続される。
【００４７】
パケットベースのマルチメディアシステムは異なるネットワークインタフェースプロトコル（ＮＩＰ）を持つ複数のネットワークとの接続を持つことができるので、パケットベースのマルチメディアシステムは、異なるネットワークインタフェースプロトコルを同時に処理する能力を持つ。
【００４８】
図３は、本発明に従う一般的なオーバレイシステムの概観を提供する。パケットベースのマルチメディアシステムにおけるサービスは、パケットベースのマルチメディアシステムにおける加入者情報を持たない端末（Ｔ）に対して、端末（Ｔ）とサービス（Ｓ）との間のセッションの中で提供される。パケットベースのマルチメディアシステムは、結び付け機能（ＣｏｕＦ）、仮想加入者情報テーブル（ＶＳＴ）、関連付け機能（ＣｏｒＦ）、特有適合アクセスゲートウェイ（ＡＧ）、及び、ネットワーク内の端末に提供可能な少なくとも１つのサービス（Ｓ）を含む。
【００４９】
結び付け機能（ＣｏｕＦ）は、ネットワークアクセスゲートウェイ（ＮＡＧ）を介してネットワークとの接続を持つ。結び付け機能は、特に、ネットワークアクセスゲートウェイと通信するために適用可能なネットワークインタフェースプロトコルに適合している。パケットベースのマルチメディアシステムは異なるネットワークインタフェースプロトコルを持ついくつかのネットワークに接続可能なので、結び付け機能は、各ネットワークインタフェースプロトコルのための固有インタフェースハンドラを持つ。或いは、パケットベースのマルチメディアシステムは、各々が特定のネットワークインタフェースプロトコルのための固有インタフェースハンドラを持つ複数の結び付け機能を持つ。複数のインタフェースハンドラの代わりに、パケットベースのマルチメディアシステムは、単一の内部プロトコルで結び付き機能に接続される複数のプロトコルコンバータを含んでもよい。パケットベースのマルチメディアシステムは、端末からのサービス要求に関する高速な処理を提供するために、複数の結び付け機能を含んでもよいし、ネットワークアクセスゲートウェイの地理的な近傍に存在してもよい。結び付け機能は更に、仮想加入者情報テーブル（ＶＳＴ）に接続される。
【００５０】
仮想加入者情報テーブル（ＶＳＴ）は、いくつかのエントリを持ち、各エントリは、仮想加入者情報の識別情報を介して一意に特定される。各エントリは、端末と仮想加入者情報との結び付きを示すために、端末識別情報の格納を許容する。現時点で端末識別情報を持たない仮想加入者情報を、空いていると言う。或いは、特別な空き／使用中のフラグがエントリに追加されてもよい。各エントリは更に、端末に属するものであって提供されるサービスに関連するパラメータのための格納場所を持つ。単一のテーブルの代わりに、仮想加入者テーブル（ＶＳＴ）は、仮想加入者情報のグループを持ってもよい。グループは、複数の結び付け機能と１対１の関係を持って適用可能なネットワークインタフェースプロトコルに基づいて定義されてもよいし、ネットワークアクセスゲートウェイに地理的に近いという場所に基づいてもよいし、サービスとの１対１の関係としてパケットベースのマルチメディアシステムにおける利用可能なサービスに基づいてもよいし、これらの組み合わせであってもよい。
【００５１】
アクセスゲートウェイ（ＡＧ）は、１以上のネットワークにおける１以上のネットワークアクセスゲートウェイ（ＮＡＧ）と接続される結び付け機能（ＣｏｕＦ）としてのものである。
【００５２】
やはり、ネットワークインタフェースプロトコルはネットワークアクセスゲートウェイ毎に異なっていてよい。アクセスゲートウェイはそれゆえ、複数のインタフェースハンドラを内部的に必要とするか、又は、専用のインタフェースハンドラを持つ複数のアクセスゲートウェイが備えられる。パケットベースのマルチメディアシステムは、単一の内部プロトコルでアクセスゲートウェイに接続される複数のプロトコルコンバータを含んでもよい。後者の場合、プロトコルコンバータは結び付け機能と共有されてもよい。アクセスゲートウェイは、特に、パケットベースのマルチメディアシステムにおいて有効な仮想加入者情報のリストを含むように構成されており、これにより、アクセスゲートウェイは、仮想的に加入した端末から受信されたセッション要求を認識可能になる。アクセスゲートウェイは、パケットベースのマルチメディアシステム内部で、関連付け機能（ＣｏｒＦ）に接続されている。
【００５３】
関連付け機能（ＣｏｒＦ）は、仮想加入者情報テーブル（ＶＳＴ）と、１以上のサービス（Ｓ）とに接続されている。関連付け機能は、アクセスゲートウェイ（ＡＧ）からの要求の中の仮想加入者情報の識別情報を取り出し、それと共に、端末識別情報と必要なパラメータとを仮想加入者情報テーブルから取り出し、それらを要求されたサービスへと渡す。その後、仮想加入者情報は、他の端末識別情報と結び付けるために使用可能になるように、空きにセットされる。
【００５４】
端末識別情報及び受信されたパラメータ、並びに、端末とサービスとの間で確立されたセッションとを用いて、サービスは今や、要求を持つ端末にサービス提供可能である。
【００５５】
サービスと端末との間でセッションを確立するためのイベントのシーケンスが、図４において与えられる。シーケンスは、端末（Ｔ）によるサービス（Ｓ）の要求（１）から開始する。ネットワークアクセスゲートウェイ（ＮＡＧ）が、例えばサービス要求がこの加入者のためのＩＭＳサービスインジケータを持っているお蔭で、このサービス要求を、パケットベースのマルチメディアシステムからのサービスを求める要求として認識する。そして、このサービス要求を、サービス要求メッセージ（２）として結び付け機能（ＣｏｕＦ）へ転送する。サービス要求メッセージは、最低限、端末（Ｔ）の識別情報を含み、サービス（Ｓ）のための関連パラメータによって拡張可能である。サービス要求メッセージを受信すると、結び付け機能（ＣｏｕＦ）は、仮想加入者情報テーブル（ＶＳＴ）をアドレス指定し（３）、ＶＳＴは、テーブル内の空きの仮想加入者情報の識別情報を返すか、又は、任意的なものとしてテーブル内の特定のグループ内の空きの仮想加入者情報の識別情報を返す。結び付け機能（ＣｏｕＦ）は、サービスのための全ての関連パラメータがネットワークアクセスゲートウェイ（ＮＡＧ）によって提供されたか否かをチェックする。ネットワークインタフェースプロトコルが全てのパラメータを１つのメッセージ内では許可しない場合や、全ての情報を加入者がＮＡＧに提供する前にサービス要求を開始してもよい場合に、そのような事例が発生し得る。サービス（Ｓ）を展開するための関連パラメータが失われている場合、結び付け機能（ＣｏｕＦ）は、ネットワークアクセスゲートウェイ（ＮＡＧ）をアドレス指定して（５）残りのパラメータを要求する。ネットワークアクセスゲートウェイ（ＮＡＧ）は残りのパラメータを送信する（６）。ステップ５及びステップ６は、全てのパラメータを取得するために繰り返され得る。ネットワークアクセスゲートウェイ（ＮＡＧ）は、パラメータを取得するために、端末（Ｔ）又はネットワーク内の他のエンティティに問い合わせ可能である。この任意的な動作は、図示されていない。全ての関連パラメータを持つと、結び付け機能（ＣｏｕＦ）は、端末識別情報と全ての関連パラメータとを、（４）において受信した空きの仮想加入者情報の識別情報によって示される空きの仮想加入者情報内に格納する（７）。最後の動作として、結び付け機能（ＣｏｕＦ）は、要求されたサービスとのセッションをセットアップするために使用されることになる、空きの可能加入者情報の識別情報とアクセスゲートウェイ（ＡＧ）のアドレスとを含むメッセージ（８）を、ネットワークアクセスゲートウェイ（ＮＡＧ）へ送信する。
【００５６】
ネットワークアクセスゲートウェイ（ＮＡＧ）は、アクセスゲートウェイ（ＡＧ）へセッション開始要求（９）を送信することにより、要求されたサービス（Ｓ）とのセッションを開始する。セッション開始要求は、最低限、空きの仮想加入者情報の識別情報を含む。アクセスゲートウェイ（ＡＧ）は、セッション開始要求内の空きの仮想加入者情報の識別情報から、これがオーバレイの事例であって、パケットベースのマルチメディアシステムの登録ユーザからの通常のセッション要求ではないということを、認識する。アクセスゲートウェイ（ＡＧ）はそれゆえ、セッション開始要求を、セッション開始メッセージとして関連付け機能（ＣｏｒＦ）へ転送する（１０）。セッション開始メッセージは、最低限、空きの仮想加入者情報の識別情報を含む。関連付け機能（ＣｏｒＦ）は、この識別情報を使用して、仮想加入者情報テーブル（ＶＳＴ）をアドレス指定し（１１）、端末識別情報及び関連パラメータを取り出し（１２）、受信した情報を要求されたサービス（Ｓ）へと渡す（１３）。
【００５７】
関連付け機能（ＣｏｒＦ）が他のサービスではなく要求されたサービス（Ｓ）へと受信した情報を渡すための、いくつかの代替実装をここで説明する。
【００５８】
最も好ましい実装は、仮想加入者情報のグループを持つ仮想加入者情報テーブル（ＶＳＴ）であり、１つのグループが、パケットベースのマルチメディアシステムによって提供され得る各サービスのためのものである。これは、テーブル内のエントリが関連パラメータのための明示的な記憶場所を持つという利点を有する。関連付け機能は、グループから即座に、どのサービスへと渡すべきかを認識する。結び付け機能は、サービス要求を処理する際に、ＶＳＴ内のどのグループから空きの仮想加入者情報を取得するかを決定済みである。
【００５９】
代替例は、テーブル内のエントリが追加のインジケータ（指示情報）又は要求されたサービスのアドレスを持つことである。
【００６０】
いずれの代替例も、パケットベースのマルチメディアシステムによって提供可能なサービスに関して結び付け機能がよく知っている必要がある。
【００６１】
他の代替例は、それほど知的な結び付け機能を必要とはしない。この代替例では、結び付け機能は、サービスを区別しない。サービスを要求する際には、端末識別情報と、典型的には文字列である１つのパラメータとだけが必要とされる。文字列は、どの種類のサービスが要求されているかに関する全ての関連情報と、サービスが必要とする情報とを含む。任意的な通信のステップ５及びステップ６は必要とされず、仮想加入者情報テーブルはもっとコンパクトである。しかしながら、関連付け機能が仮想加入者情報テーブルから文字列を取り出した後で、構文解析メカニズムが必要とされる。関連付け機能内部の、又はパケットベースのマルチメディアシステム内に別個の機能として備えられる構文解析メカニズムは、正しいサービスが提供されることを管理する。
【００６２】
構文解析メカニズムは、最初の２つの代替例においても適用可能であり、ネットワークアクセスゲートウェイと結び付け機能との間の通信を単純化する。
【００６３】
要求されたサービス（Ｓ）が関連付け機能（ＣｏｒＦ）から端末識別情報及びパラメータを受信すると、要求されたサービスを端末に提供するための、端末（Ｔ）とサービス（Ｓ）との間のセッション（１５）が確立される。関連付け機能（ＣｏｕＦ）はこの時点で、仮想加入者情報テーブル（ＶＳＴ）におけるエントリをクリアする（１４）。即ち、ＶＳＴは、仮想加入者情報が次のセッションをセットアップするために使用可能になるように、この仮想加入者情報を空きに設定する。
【００６４】
端末（Ｔ）とサービス（Ｓ）との間のセッション（１５）は、典型的には、３つの区間を持つ。１つはパケットベースのマルチメディアシステムの内部プロトコルに基づいており、２番目の部分はネットワークアクセスゲートウェイ（ＮＡＧ）とアクセスゲートウェイ（ＡＧ）との間のネットワークインタフェースプロトコルに基づいており、３番目の部分はネットワークアクセスゲートウェイ（ＮＡＧ）と端末（Ｔ）との間のネットワーク内部プロトコルに基づいている。ネットワークアクセスゲートウェイ及びアクセスゲートウェイは、セッションにおけるプロトコル変換を提供する。
【００６５】
仮想加入者情報テーブル（ＶＳＴ）に対するタイムスタンプエントリによって、追加の利点が達成される。端末識別情報及びパラメータをテーブルに書き込む際に、タイムスタンプもテーブルに書き込まれる。関連付け機能（ＣｏｒＦ）は、空きでないエントリを継続的にスキャンして、タイムスタンプをパケットベースのマルチメディアシステムの現在のシステム時刻と比較するという、追加の仕事を持つ。その差が或る最大値を超えた場合、エントリはクリアされて空きに設定される。エントリを占有してよい最大時間に関する典型的な値は、５分未満であると考えられる。この追加の特徴は、端末がメッセージ（８）と（９）との間にスイッチオフした場合に発生し得る、占有した仮想加入者情報を持ち続けることを、禁止する。
【００６６】
以下、典型的な実装を説明する。ここでは、ネットワークはＧＳＭ移動電話ネットワークであり、パケットベースのマルチメディアシステムはＩＭＳである。この実装に関係するエンティティを図５に示す。
【００６７】
この実装における端末（ＭＴ）は、ＧＳＭ対応であり、無線基地局（ＲＢＳ）に対する無線インタフェースを持つ。無線基地局は、ネットワークアクセスゲートウェイとしての役割を果たすＭＳＣへの固定接続を有する。図５は１つのＭＳＣのみを示すが、実際問題として、ＧＳＭネットワークは複数のＭＳＣを持ち得る。全てのＭＳＣは、２つのネットワークインタフェースプロトコルを用いて、パケットベースのマルチメディアシステムに接続している。２つのネットワークインタフェースプロトコルとは、結び付け機能への接続については、ＣＡＰ(CAMEL Application Part)が使用され、アクセスゲートウェイへの接続については、ＩＳＵＰ(ISDN User Part)が使用される。ＣＡＰのためのインタフェースハンドラはＧＳＭ−サービス制御機能（ＧＳＭ−ＳＣＦ）である。ＩＳＵＰのためのインタフェースハンドラは、ＭＧＣＦ内に組み込まれている。ＭＧＣＦは、主に、セッションをセットアップして制御するためのものである。音声呼又はビデオ呼については、セッションの実際のコンテンツ、即ち、オーディオ、ビデオ、写真、ＨＴＭＬページ、又はデータベースクエリは、ＭＧＷを介して流れる。１以上のＭＧＷがＭＧＣＦに接続されていてもよいし、ＭＧＷがＭＧＣＦに組み込まれていてもよい。先行技術において説明したように、複数のＭＧＣＦがＩＭＳ内に存在してもよい。Ｐ−ＣＳＣＦ及びＳ−ＣＳＣＦは、セッションのセットアップに関与する中間機能であるが、ＭＧＣＦと関連付け機能との間でメッセージを中継する以外には、本発明に関連する特定の機能を持たない。ＩＭＳ内部でのセッションは、先行技術の説明において定義したように、ＳＩＰセッションである。
【００６８】
それ自身の性質により、サービス対話管理装置（ＳＩＭ）には、この実装において、結び付け機能と、関連付け機能と、仮想加入者情報テーブルとが組み込まれる。しかしながら、これらのエンティティは、ＩＭＳにおける分離した機能であってもよい。ＩＭＳにおけるサービスは、アプリケーションサーバ（ＡＳ）上で動作するアプリケーション（ＡＰ）によって提供される。
【００６９】
情報の流れが図７に示され、ＩＭＳにおけるＳＩＰセッションのセットアップに関与するステップ及び機能の詳細な見通しのために使用される。
【００７０】
ＧＳＭ端末がサービスを要求する。この要求はＭＳＣに到達する。ＨＬＲ内の特別なパラメータに基づいて（先行技術の説明を参照のこと）、ＭＳＣは、ＣＡＰを使用してサービス要求をＩＭＳへ転送する。ＧＳＭからのサービス要求は、端末の識別情報と、サービス及びサービスのための関連追加情報を特定する文字列とを含むので、どちらかと言えば単純なものである。文字列の構文解析により、提供すべきサービスが判断される。構文解析は、ＳＩＭ及びＡＰにおいて実行される。
【００７１】
ＳＩＰセッションのセットアップを説明するために、単純な例を使用する。ここでは、ID= +31 6 516 13 111というＧＳＭ端末が、個人のショートナンバー（ここでは、「２４００」）を用いて、他の通信相手を呼び出す（Ａ１）。このショートナンバーは、この例においては、ＳＩＰ端末に関連する。
【００７２】
被呼側番号がショートナンバーであるという事実が、ＭＳＣによって検出される。ＨＬＲ内のＩＭＳパラメータ（即ち、Ｏ−ＣＳＩ）の結果、ＭＳＣはＩＭＳ内の結び付け機能（ＣｏｕＦ）に対してサービス要求メッセージ（Ａ２）を送信する。ＣＡＰがプロトコルとして使用されるので、このメッセージは、発呼側番号+31 6 516 13 111を含んだＣＡＰ  ＩＤＰ(CAP Initial DP)メッセージであり、被呼側番号は「２４００」である。このＣＡＰメッセージは、サービス対話管理装置内の結び付け機能によって受信される。このサービス要求に基づいて、結び付け機能は仮想加入者情報テーブルをアドレス指定し（Ａ３）、テーブルは空きの仮想加入者情報の識別情報を用いて返答する（Ａ４）。結び付け機能は、空きの仮想加入者情報の識別情報によって指し示された仮想加入者情報に、発呼側番号と文字列「２４００」とを格納する（Ａ７）。結び付け機能は、被呼側番号を持つＣＡＰ  ＣＯＮ(CAP Connect)メッセージ（Ａ８）を用いて、ＣＡＰ  ＩＤＰメッセージに対して返答する。被呼側番号は、ｃｃ（ＩＭＳの国番号）、ｎｄｃ（ＩＭＳネットワークの国指定コード）、ｍｇｃｆ−ｉｄ（ＩＭＳ内部でコンタクトするＭＧＣＦのアドレス）、及びｐｓｉ（仮想加入者情報の識別情報であるパブリックサービスアイデンティティ）を含む。
【００７３】
結び付け処理が完了すると、ＧＳＭ端末はこの時点で、ＩＭＳに登録されており、ＧＳＭ端末のためのセッションを確立可能である。
【００７４】
ＭＳＣはそれゆえ、結び付け機能から受信したＣＡＰ  ＣＯＮメッセージ内の被呼側番号に含まれるアドレスを持つＭＧＣＦに対して、ＩＳＵＰ  ＩＡＭ（Ａ９）を送信する。
【００７５】
或いは、ＭＳＣが、ＩＳＵＰ−ＩＡＭ（Ａ９）の送信先のＭＧＣＦを選択してもよい。ＩＳＵＰ  ＩＡＭ(ISUP initial address message)は、ＣＡＰ  ＣＯＮメッセージ内で受信した被呼側番号と、ＣＡＰ  ＩＤＰメッセージ内で以前に送信された発呼側番号とを含む。アドレス指定されたＭＧＣＦは、ＩＳＵＰ  ＩＡＭを受信する。ＭＧＣＦはＩＭＳ内で使用される仮想加入者情報のリストを持つので、ＭＧＣＦは、この要求が、代理加入者情報や標準的な加入者情報ではなく、仮想加入者情報に属するということを認識することができる。それゆえ、受信したメッセージに関する以降の処理は、他の種類の加入者情報に対する処理とは異なる。
【００７６】
ＭＧＣＦ内の仮想加入者情報のリストは、ＩＭＳオペレータによって静的に提供されてもよいし、ネットワーク管理ソフトウェアにおける特別な機能が、ＶＳＴ内の仮想加入者情報がＭＧＣＦ内の仮想加入者情報のリストと整合するように管理を行ってもよい。
【００７７】
ＩＭＳにおける内部プロトコルはＳＩＰなので、ＭＧＣＦはＩＳＵＰ  ＩＡＭをＳＩＰ  Ｉｎｖｉｔｅメッセージに変換する必要がある。ＳＩＰ  Ｉｎｖｉｔｅメッセージは、P-asserted-id = psi @ "operator"を含む。ここで、"operator"は例えば、9TEL.USであり、RU(request URI)=psiである。これは、自分自身へのセッションをセットアップすることを基本的に試みるものとして見られ得る。ＭＧＣＦは仮想加入者情報を認識したので、ＳＩＰ  ＩｎｖｉｔｅメッセージをＰ−ＣＳＣＦへ直接送信する（Ａ１０）ことにより、ＵＮＩ(user to network interface)  ＳＩＰ  Ｉｎｖｉｔｅメッセージをエミュレートする。ＩＭＳネットワークには２以上のＰ−ＣＳＣＦが存在し得るので、ＭＧＣＦは、正しいＰ−ＣＳＣＦアドレスを取得するためのいくつかの選択肢を持つ。
【００７８】
最も単純なものは、固定アドレスである。仮想加入者情報に対する全てのＵＮＩ  ＳＩＰ  Ｉｎｖｉｔｅメッセージは、同一のＰ−ＣＳＣＦへ転送される。代替例は、仮想加入者情報のリスト内で、各仮想加入者情報にＰ−ＣＳＣＦのアドレスも添付されているということである。Ｐ−ＣＳＣＦの実際の負荷を考慮に入れた場合、更に複雑なスキームが適切な場合もあろう。Ｐ−ＣＳＣＦは、受信したＳＩＰ  ＩｎｖｉｔｅメッセージをＩＭＳネットワーク内のＳ−ＣＳＣＦへ転送する。
【００７９】
Ｓ−ＣＳＣＦは、ＳＩＰ  Ｉｎｖｉｔｅメッセージを、サービス対話管理装置（ＳＩＭ）内の関連付け機能（ＣｏｒＦ）へと更に転送する。
【００８０】
受信すると、関連付け機能（ＣｏｒＦ）は、仮想加入者情報テーブル（ＶＳＴ）に対して問い合わせを行い（Ａ１１）、ＳＩＰ  Ｉｎｖｉｔｅメッセージ内のＲＵと等しいエントリを要求する。その応答（Ａ１２）は、ＧＳＭ端末の元々の発呼側ＩＤと、結び付け機能（ＣｏｕＦ）によって以前に格納した文字列とを含む。
【００８１】
関連付け機能（ＣｏｒＦ）は、ＧＳＭ端末の発呼側番号をP-asserted-idに入れ、文字列をＲＵに入れることにより、ＳＩＰ  Ｉｎｖｉｔｅメッセージを変更する。変更されたＳＩＰ  Ｉｎｖｉｔｅメッセージは、定義されたアプリケーションサーバ（ＡＳ）へと転送される（Ａ１３）。
【００８２】
このステップにより、端末（Ｔ）とアプリケーション（ＡＰ）との間のセッション（１５）がセットアップされる。この事例のように、ショートナンバーがＳＩＰ端末に関連し、アプリケーション（ＡＰ）がＳＩＰ端末を招待し、両端末間で音声セッションが開始し、ここで、ＩＭＳ内部区間はＩＰベースであり、ＭＧＷはＩＰをＰＣＭに変換し、ＰＣＭはＭＧＷとＭＳＣとの間の区間に基づく。
【００８３】
セッションが開始した時点で、関連付け機能（ＣｏｒＦ）は仮想加入者情報テーブル（ＶＳＴ）内のエントリをクリアする（Ａ１４）。エントリに端末識別情報が関連付けられていなければ、そのエントリは空きである。
【００８４】
図６は、ジェネラルアクセスネットワーク（ＧＡＮ）の概観である。ＧＡＮ端末は、ＧＳＭネットワーク又はＵＭＴＳネットワークにおける無線接続に加えて、赤外線、ブルートゥース、ＷＩＦＩ、又はＷＬＡＮを用いてアクセスポイント（ＡＰ）に対するローカル接続も持つ。移動体端末（ＭＴ）がアクセスポイントのカバーエリアへ入ったりそこでスイッチオンしたりした場合、端末は、ＧＡＮコントローラ（ＧＡＮＣ）に登録される。ＧＡＮＣは、相互接続ＩＰネットワークを介して、移動体端末（ＭＴ）に対するセキュアトンネル（ＩＰＳｅｃトンネル）を確立する。ＧＡＮＣはＭＳＣに対して、その時点でＧＡＮを介して移動体端末に到達可能であるということを通知する。ＧＡＮに接続された移動体端末は、ＧＳＭネットワーク又はＵＭＴＳネットワークにおいてその時点でＧＡＮを介して提供される全ての機能を持つ。これには、オーバレイＩＭＳによるサービスの提供が含まれる。
【００８５】
ＩＭＳへのインタフェースはＭＳＣを介して動作するので、セッションのセットアップは、図７について前述したものと同一である。
【００８６】
第２の実施形態を図８及び図９に示す。ここでは、ネットワークは公衆電話網（ＰＳＴＮ）であり、電話交換機（ＴＳ）は、ネットワークを介して固定回線電話のような発呼端末（Ｔ）のための回線を生成する。ＰＳＴＮにおいては、サービスを提供するためのシステムも知られている。それゆえ、電話交換機（ＴＳ）は、サービス又は機能の呼び出しを認識するサービスシグナリング機能（ＳＳＦ）を持ち得る。それは呼び出しを、サービスを提供するサービス制御ポイント（ＳＣＰ）へと転送する。ＳＳＦは、知的ネットワークアプリケーションプロトコル（ＩＮＡＰ）を介してＳＣＰと通信する。
【００８７】
ＰＳＴＮ及びＰＭＢＳの両方を展開するオペレータは、２つのシステムに実装されるサービスを持つことについて気乗りがしないかもしれない。それゆえ、それらは、サービスを提供するであろう代替ＳＣＰのアドレスを提供するように、或るサービスのＳＣＰに対して指示する。この事例では、代替ＳＣＰとしてのＳＳＦに対して働きかけるのはＰＢＭＳであろう。
【００８８】
サービスの起動（Ｂ１．１）がＳＳＦによって認識される。ＳＳＦは、ＩＮＡＰ問い合わせメッセージ（Ｂ１．２）を用いて、標準のＳＣＰにコンタクトする。ＳＣＰは、サービスを提供することを担う他のＳＣＰにコンタクトすることをＳＳＦに通知するＩＮＡＰ  ＣＯＮ(INAP connect)メッセージ（Ｂ１．３）を用いて、この特別なサービスに対して返答する。ＳＳＦは、ＳＣＰから取得されたＣｏｕＦのアドレスをこの時点で持つＩＮＡＰ問い合わせメッセージなど（Ｂ１．２）を用いて、ＰＢＭＳ内のＣｏｕＦにコンタクトする（Ｂ２）。
【００８９】
このサービス要求に基づいて、結び付け機能は仮想加入者情報テーブルをアドレス指定し（Ｂ３）、テーブルは空きの仮想加入者情報の識別情報を用いて返答する（Ｂ４）。任意的なものとして、ＣｏｕＦはＳＳＦに対して、最初の要求において提供されなかった追加のパラメータ（Ｂ５及びＢ６）を問い合わせてもよい。ＣｏｕＦは、空きの仮想加入者情報の識別情報によって指し示される仮想加入者情報に、サービスのために必要とされるパラメータを格納する（Ｂ７）。結び付け機能は、被呼側番号を持つＩＮＡＰ  ＣＯＮメッセージ（Ｂ８）を用いてＳＳＦに対して返答する。被呼側番号は、コンタクト先のＰＢＭＳのアクセスゲートウェイ（ＡＧ）のアドレスと、ｐｓｉ（仮想加入者情報の識別情報）とを含む。結び付け処理が完了すると、端末はその時点でＩＭＳに登録され、端末のためのセッションが確立可能である。
【００９０】
ＳＳＦは、アクセスゲートウェイ（ＡＧ）へＩＳＵＰ  ＩＡＭ（Ｂ９）を送信することにより、要求されたサービス（Ｓ）とのセッションを開始する。ＩＳＵＰ  ＩＡＭは、被呼側番号フィールドに、空きの仮想加入者情報の識別情報を含む。アクセスゲートウェイ（ＡＧ）は、空きの仮想加入者情報の識別情報から、これがオーバレイの事例であって、パケットベースのマルチメディアシステムの標準的な又は代理の登録ユーザからの通常のセッション要求ではないということを、認識する。アクセスゲートウェイ（ＡＧ）はそれゆえ、ＩＳＵＰ  ＩＡＭをセッション開始メッセージ（ＳＳＭ）として関連付け機能（ＣｏｒＦ）へ転送する（Ｂ１０）。セッション開始メッセージは、空きの仮想加入者情報の識別情報を含む。関連付け機能（ＣｏｒＦ）は、その識別情報を使用して仮想加入者情報テーブル（ＶＳＴ）をアドレス指定し（１１）、端末識別情報及び関連パラメータを取り出し（１２）、受信した情報を要求されたサービス（Ｓ）へと渡す（１３）。その結果としての端末（Ｔ）とサービス（Ｓ）との間のセッション（Ｂ１５）は、メディアのためのパスであり、典型的には３つの区間を持つ。１つはパケットベースのマルチメディアシステムの内部プロトコルに基づき、２番目の部分はＰＳＴＮ内のメディアゲートウェイとアクセスゲートウェイ（ＡＧ）との間のＩＰに基づき、３番目の部分は電話交換機（ＴＳ）を通って端末（Ｔ）へ向かうＴＤＭに基づく。シグナリングパス及びメディアアクセスは、ＡＧ内で組み合わせられてもよいが、シグナリングのみのためにＡＧに、そしてメディアのためにＭＧＷに、分離されてもよい。ＰＳＴＮ内のＭＧＷ及びＰＢＭＳ内のＭＧＷは、１つの組み合わせられて、ＰＳＴＮ及びＰＢＭＳによって共有されてもよい。
【００９１】
第３の実施形態を図１０及び図１１に示す。
【００９２】
第３の実施形態では、ネットワークはボイス・オーバ・ＩＰ（ＶＯＩＰ）ネットワークであり、ここで、端末は固定有線電話番号を持つので、ＰＳＴＮ又は他のネットワークから呼び出すことができる。そのようなネットワークの例は、ケーブルＴＶオペレータネットワーク（ＣＯＰＮ）である。
【００９３】
端末は、ＰＳＴＮを介して接続される可能性があり、ここで、メディアゲートウェイ（ＭＧＷ）はＩＰパケットをＰＣＭに変換すること、及びその逆を行う。サービスはそれゆえ、第２の実施形態で説明したやり方で、提供可能である。しかしながら、呼が完全にＩＰドメインにある場合、即ち、ＰＳＴＮを経由しない場合は、サービスの起動が不可能かもしれない。
【００９４】
ＰＳＴＮを介して端末が発呼したり着呼したりすることを可能にするために、ＣＯＰＮは、呼制御機能（ＣＣＦ）を必要とする。ＣＣＦは、ＰＢＭＳに対してＣＡＰプロトコル又はＩＮＡＰプロトコルを使用して、ＭＳＣ又はＳＳＦとして機能する。図１０及び図１１は、ＩＮＡＰの場合を示す。セッションをセットアップするために使用されるメッセージのシーケンスは、第１又は第２の実施形態と同一である。これらの説明を参照する。
【００９５】
確立されたセッション（Ｃ１５）は、この時点で、典型的には２つの部分を持つ。即ち、端末からＰＢＭＳ内のＡＧへのＩＰベースの部分と、ＡＧからサービス（Ｓ）へのＰＢＭＳ内部の部分である。なお、ファイアウォールやセキュアトンネリングなどの複数のエレメントがこれらの部分に含まれていてもよい。
【００９６】
第４の実施形態を図１２及び図１３に示す。図１２を参照すると、ネットワークはここでは広域ネットワーク（ＷＡＮ）であり、ここで、端末（Ｔ）は標準的なインターネットプロトコル（ＩＰ）を用いてルータ（Ｒ）に接続される。１以上のこれらのルータ（Ｒ）は、パケットベースのマルチメディアシステムに対するネットワークアクセスゲートウェイ（ＮＡＧ）として機能する。ネットワークアクセスゲートウェイとパケットベースのマルチメディアシステムとの間のネットワークインタフェースプロトコルも、標準的なインターネットプロトコル（ＩＰ）である。ＣｏｕＦ及びＡＧのためのインタフェースハンドラは、特に、ＩＰベースのインタフェースを処理するように構成される。ＩＰネットワークの開放性が原因で、セキュリティレベルを提供するための特別な適合が必要とされる。インタフェースハンドラは、ＰＢＭＳに対する事前定義されたメッセージにおける事前定義されたデータエレメントへのアクセスを制限する。
【００９７】
ユーザは自分の端末（Ｔ）を用いて、自分が加入者情報を持たないＰＢＭＳからのサービス又は機能を要求する。サービス又は機能は、ＰＢＭＳのサービス（Ｓ）によって提供される。それゆえ、端末（Ｔ）とサービス（Ｓ）との間のセキュアでセッションをセットアップすることが必要とされる。セッションを確立するための手順におけるステップを図８に示す。
【００９８】
端末（Ｔ）が使用されるアドレス及びメッセージフォーマットを取得することから手順が開始する。好適な実施形態として、アドレス及びメッセージフォーマットは、セキュリティの側面も手配するソフトウェアコードの部品に含まれる。ソフトウェアコードは、端末に内在してもよいし、端末に内在する他のソフトウェアに埋め込まれてもよいが、ＪＡＶＡ（登録商標）アプレットのようにインターネットページを介して端末に提供されてもよいし、Ｅメールに添付されていても、端末によってダウンロードされるファイルに含まれていてもよい。ソフトウェアコードは、セッションをセットアップするために必要とされるステップを管理する。
【００９９】
ユーザがソフトウェアコードを有効化し、端末内のソフトウェアコードはサービス要求メッセージ（Ｄ１）を生成し、これを結び付け機能（ＣｏｕＦ）へ送信する。サービス要求メッセージは、端末（Ｔ）の識別情報を含む。シグナリングプロトコルはこの時点でＩＰベースなので、端末（Ｔ）のＩＰベースの特定(identification)が必要とされる。セキュアチャネルを得るために、端末（Ｔ）内のソフトウェアコードとＩＰインタフェースハンドラとの間でいくつかの追加的な情報交換が行われる。この情報交換は、選択されるセキュリティプロトコルに大きく依存し、本発明の中核にとって重要ではないので、図８には示されていない。
【０１００】
サービス要求メッセージを受信した後に、結び付け機能（ＣｏｕＦ）は、仮想加入者情報のテーブル（ＶＳＴ）から空きの仮想加入者情報を要求する（Ｄ３）。この要求は端末識別情報を含み、端末識別情報は、空きの仮想加入者情報が占有されているということを示すために、空きの仮想加入者情報と共に格納される。空きの仮想加入者情報の識別情報が、結び付け機能（ＣｏｕＦ）へと返される（Ｄ４）。
【０１０１】
結び付け機能（ＣｏｕＦ）は、追加のパラメータを取得するために、端末（Ｔ）内のソフトウェアコードへとメッセージ（Ｄ５）を送り返す。本実施形態では、１つの特別なパラメータが必要とされる。第１の実施形態とは異なり、この時点では、提供されたサービスについて課金可能な保証された端末識別情報が存在しない。第１の実施形態では、前払いであれ後払いであれ、ＧＳＭ電話の拡張番号に関連するアカウントに対してコストを課金可能である。第２の実施形態では、これは固定有線アカウントであり、第３の実施形態では、これはケーブルオペレータからの固定有線に相当するアカウントであった。第４の実施形態では、クレジットカード番号、電話番号、又は課金先の銀行口座のように、ユーザによってアカウントが提供されなければならない。端末内のソフトウェアコードは、ユーザに対して、アカウント番号を提供するように促す。追加のパラメータは、端末（Ｔ）内のソフトウェアコードによって、結び付け機能（ＣｏｕＦ）へと返される（Ｄ６）。結び付け機能（ＣｏｕＦ）は動作前に、提供されたアカウント番号の有効性を更にチェックする。無効であることが分かると、シーケンスは中止され、空の端末識別情報が格納され（Ｄ７）、仮想加入者情報を再び空きに設定する。
【０１０２】
有効であると分かると、追加のパラメータが仮想加入者情報のテーブルに格納される（Ｄ７）。
【０１０３】
アカウントが有効な場合、結び付け機能（ＣｏｕＦ）は、セッション要求を実行するために使用される仮想加入者情報の識別情報とアクセスゲートウェイ（ＡＧ）の識別情報とを含んだメッセージを端末（Ｔ）内のソフトウェアへと送信する。
【０１０４】
端末（Ｔ）内のソフトウェアは、仮想加入者情報の識別情報と端末識別情報とを含んだセッション要求（Ｄ９）を、ＡＧへと送信する。ＡＧはセッション開始要求をセッション開始メッセージ（ＳＳＭ，Ｄ１０）に変換する。更なるシーケンス（Ｄ１０からＤ１５）は、先の実施形態において説明したものと同等である。
【０１０５】
第４の実施形態におけるＡＧは、ファイアウォールとして機能する主要な機能を持ち、ＰＢＭＳへのセキュアチャネルしか許可しない。
【図１】
2010514289.tif 000003
【図２】
2010514289.tif 000004
【図３】
2010514289.tif 000005
【図４】
2010514289.tif 000006
【図５】
2010514289.tif 000007
【図６】
2010514289.tif 000008
【図７】
2010514289.tif 000009
【図８】
2010514289.tif 000010
【図９】
2010514289.tif 000011
【図１０】
2010514289.tif 000012
【図１１】
2010514289.tif 000013
【図１２】
2010514289.tif 000014
【図１３】
2010514289.tif 000015
【手続補正書】
【提出日】平成20年10月16日(2008.10.16)
【手続補正１】
【補正対象書類名】特許請求の範囲
【補正対象項目名】請求項２５
【補正方法】変更
【補正の内容】
【請求項２５】
仮想加入者情報テーブル（ＶＳＴ）内に含まれる仮想加入者情報を、メディアゲートウェイ制御機能（ＭＧＣＦ）内の仮想加入者情報の識別情報のリストに整合させ、前記仮想加入者情報にプロキシ呼セッション制御機能（Ｐ−ＣＳＣＦ）の識別情報を割り当てるための、仮想加入者情報管理機能を備えることを特徴とする、請求項６又は２０に記載のＩＰマルチメディア・サブシステム（ＩＭＳ）。
【手続補正３】
【補正対象書類名】明細書
【補正対象項目名】０００２
【補正方法】変更
【補正の内容】
【０００２】
Universal Telecommunication Network（ＵＭＴＳ）及びＣＤＭＡ２０００などの第３世代（３Ｇ）ネットワークは、移動体ユーザに対して、広いカバーエリアに亘って高速無線インターネットアクセスを提供する。３Ｇネットワークのために、ＩＰマルチメディア・サブシステム（ＩＭＳ）が、電話サービス及びマルチメディアサービスへのアクセスを提供するために定義された。ＩＭＳは、サービスを提供するために、バケットベースの技術（特に、インターネットプロトコル（ＩＰ））を使用し、また、その他のＩＥＴＦ(Internet Engineering Task Force)のプロトコルを使用する。ＩＭＳの強みは、強化されたサービス（例えば、音声及びデータを組み合わせたマルチメディアサービス）の提供である。更に、基礎となる単一の標準としてＩＰネットワークを使用することにより、サービスの展開を容易且つ迅速にできる。ＩＭＳは、３ＧＰＰ  ＴＳ２３．２２８における標準である。
【国際調査報告】
2010514289.tif 000016
2010514289.tif 000017
2010514289.tif 000018